(57)【特許請求の範囲】
【請求項１】
巻芯(11)の軸方向に中心軸の間が所定の間隔(L)毎に並んで繰出される複数の線材(12〜14)を前記巻芯(11)の外周に巻回するとともに、前記複数の線材(12〜14)が前記巻芯(11)に１回巻付けられる毎に新たに繰出される前記複数の線材(12〜14)を前記巻芯(11)の軸方向へ所定量(T)移動させて前記巻芯(11)外周に前記複数の線材(12〜14)を巻回する巻線方法において、
前記巻芯(11)に巻かれて隣接する線材(12〜14)の前記巻芯(11)の軸方向における中心と中心の間を所望のピッチ(P)とするとき、その所望のピッチ(P)を前記所定量(T)と前記所定の間隔(L)により調整し、
前記所定量(T)は、前記複数の線材(12〜14)の本数に前記所望のピッチ(P)を乗じた量であり、前記所定の間隔(L)は、前記所定量(T)の自然数倍の値に前記所望のピッチ(P)を加えた間隔である
ことを特徴とする多本線巻線方法。
【請求項２】
所定の間隔(L)を求める自然数が１である請求項１記載の多本線巻線方法。
【請求項３】
台板(21)に複数の案内ピン(22〜24)が等間隔(N)に並んで設けられた繰出具(20)を介して複数の線材(12〜14)が繰出され、前記繰出具(20)を傾動させることにより前記所定の間隔(L)を微調整する請求項１又は２記載の多本線巻線方法。
【発明の詳細な説明】
【技術分野】
【０００１】
本発明は、複数の線材を巻芯外周に整列巻きする多本線巻線方法に関するものである。
【背景技術】
【０００２】
従来、線材繰出具から繰出される複数の線材を軸回りで回転する巻芯の外周に整列巻きする技術として、その複数の線材の数に応じた複数のノズルを繰出具として用い、それら複数のノズルからそれぞれ繰出される複数の線材を巻芯の外周に巻回する巻線装置が知られている（例えば、特許文献１参照。）。図５にその装置の概略を示す。この巻線装置では、巻芯４を回転させる手段の他に、繰出具である複数のノズルを回転させるホルダ１を備え、そのホルダ１を回転させて、そのホルダ１とともに、そのホルダ１に取付けられた複数のノズル２，３を図５の＋又は−の矢印で示すように回転させている。そして、実際に線材６，７が繰出されるノズル２，３の端部を巻芯４に略直交する方向に並べ、それらのノズル２，３から繰出されて巻芯４に向かう複数の線材６，７間における隙間を無くし、それら複数の線材６，７を密着させている。このように繰出具である複数のノズル２，３からそれぞれ繰出されて互いに密着した複数の線材６，７をその状態で矢印で示すように回転する巻芯４に巻付けることにより、それら複数の線材６，７を巻芯４に整列巻きし得るとしている。
【先行技術文献】
【特許文献】
【０００３】
【特許文献１】特開２００８−１９８９５５号公報（段落番号［０００６］〜［００１３］、図１０）
【発明の概要】
【発明が解決しようとする課題】
【０００４】
ここで、繰出具であるノズル２，３は線材６，７を巻芯４の所望の位置に案内するものであるので、線材６，７が実際に繰出されるノズル２，３の端部と巻芯４までの距離Ｍは可能な限り短いことが好ましい。しかし、上記従来の巻線装置では、複数の線材６，７の数に応じた複数のノズル２，３を用い、それら複数のノズル２，３から線材６，７を別々に繰出しているので、それら複数のノズル２，３を巻芯４の軸方向に並べた状態で、それら複数のノズル２，３から別々に繰出された線材６，７を、その繰出された段階で互いに密着させることはできない。このため、上記従来の巻線装置では、ホルダ１を回転させてノズル２，３の端部を巻芯４に略直交する方向に並べている。
【０００５】
けれども、ノズル２，３の端部を巻芯４に略直交する方向に並べると、一方のノズル３を例え巻芯４に近づけたとしても、他方のノズル２は必ず巻芯４から遠ざかることになり、線材６が実際に繰出されるその他方のノズル２の端部と巻芯４までの距離Ｍが拡大する不具合がある。このように線材６が繰出されるノズル２の端部から巻芯４までの距離Ｍが拡大すると、そのノズル２から繰出された線材が巻芯４に達するまでの間に幅方向にずれる量も増加する。すると、隣接する線材７との距離が変化することになり、その隣接する線材７との距離を一定に保ちつつ巻芯４にそれらの線材６，７を巻付ける、いわゆる整列巻きが困難になる不具合がある。
【０００６】
特に、整列巻きする線材の本数が図５のような２本でなく、例えば、３本やそれ以上のようにその本数が増えると、その数に比例して線材繰出具であるノズルの数も増加する。すると、それらの増加したノズルの全てが互いに干渉することを避けるために、その増加したノズルの巻芯からの距離は更に拡大することになる。すると、それらのノズルから繰出された線材が巻芯に達するまでの間に幅方向にずれる量も拡大するので、線材の本数が増加すると、その増加した線材の数に比例して、それら複数の線材の全てを整列巻させることが益々困難になる傾向が生じる。
【０００７】
この点を解消するためには、単一のノズルから複数の線材を互いに密着させた状態で繰出すことも考えられるけれども、単一のノズルから複数の線材を繰出すと、逆にその複数の線材間に隙間を生じさせたい等の希望があった場合には、それら線材間における隙間の調整が困難になる不具合がある。
【０００８】
本発明の目的は、線材が複数であっても、それら複数の線材を繰出す繰出具の繰出し端を巻芯の外周に接近させた状態で整列巻きし得る多本線巻線方法を提供することにある。
【課題を解決するための手段】
【０００９】
本発明の多本線巻線方法は、巻芯の軸方向に中心軸の間が所定の間隔毎に並んで繰出される複数の線材を巻芯の外周に巻回するとともに、複数の線材が巻芯に１回巻付けられる毎に新たに繰出される複数の線材を巻芯の軸方向へ所定量移動させて巻芯外周に複数の線材を巻回する方法である。
【００１０】
その特徴ある点は、巻芯に巻かれて隣接する線材の巻芯の軸方向における中心と中心の間を所望のピッチとするとき、その所望のピッチを所定量と所定の間隔により調整するところにある。具体的には、複数の線材の本数に所望のピッチを乗じた量を所定量とし、所定量の自然数倍の値に所望のピッチを加えた間隔を所定の間隔として、その所望のピッチを調整することが好ましい。
【００１１】
そして、この多本線巻線方法では、所定の間隔を求める自然数が１であることが好ましく、台板に複数の案内ピンが等間隔に並んで設けられた繰出具を介して複数の線材が繰出される場合には、その繰出具を傾動させることにより所定の間隔を微調整することが好ましい。
【００１２】
ここで、この明細書において「整列巻き」とは、巻芯に線材が巻芯の径方向に重なり合うことなく巻芯の軸方向に列をつくって巻かれた巻線を意味し、巻芯の軸方向に隣接する線材が密着してその間に隙間が生じないような巻線と、隣接する線材と線材の間に所望の隙間を生じさせるような巻線の双方を含むものとする。
【発明の効果】
【００１３】
本発明の多本線巻線方法では、巻芯に巻かれて隣接する線材の巻芯の軸方向における中心と中心の間の所望のピッチを調整するけれども、複数の線材の本数に所望のピッチを乗じた量を所定量とし、その所定量の自然数倍の値に所望のピッチを加えた間隔を複数の線材の巻芯の軸方向の所定の間隔とするので、この条件で巻線すると、巻芯に向かって繰出されて巻回方向先頭側から先に繰出される線材は、自然数回回転する巻芯にその自然数回巻取られる間に巻芯軸方向に所定量だけずれる。一方、その先の線材と、その次に位置する線材との間隔は、その所定量に所望のピッチを加えた間隔であるので、先の線材が自然数回巻取られた段階でその先の線材の既に自然数回巻付けられた位置から所望のピッチだけ離れて隣接する位置に次の線材が案内される。このため、巻芯が更に回転することにより、その次の線材はその既に巻付けられた先の線材から所望のピッチだけ離れて隣接する状態でその巻芯に順次等間隔で巻付けられることになる。
【００１４】
よって、本発明の多本線巻線方法では、複数の線材が所定の間隔を空けていても、先の線材に対して次の線材が所望のピッチだけ離れて隣接する状態で巻芯に巻付けられる、いわゆる整列巻きが成される。このように整列巻きされるにもかかわらず、複数の線材間に所定の間隔を空けさせることができるので、複数の線材を繰出す繰出具が、例えば複数のノズルであっても、その複数のノズルを互いに重複させることなく、これらノズルの端部を巻芯に近づけることが可能になる。そして、繰出具における繰出し端部を巻芯に近づけることにより、その繰出具から繰出された複数の線材が巻芯に達するまでの間に幅方向にずれるようなことは防止され、繰出具から所定の間隔を空けて並んで繰出された複数の線材を、その所定の間隔を変化させることなく、その並んだ状態で直ちに巻芯に巻付けることができる。よって、巻芯に複数の線材を所望のピッチで正確に整列巻きすることが可能になる。
【図面の簡単な説明】
【００１５】
【図１】本発明実施形態の多本線巻線の状態を示す正面図である。
【図２】その繰出具を一方に傾動させた状態を示す図１に対応する正面図である。
【図３】その繰出具を他方に傾動させた状態を示す図１に対応する正面図である。
【図４】その別の多本線巻線の状態を示す図１に対応する正面図である。
【図５】従来の多本線巻線の状態を示す概念図である。
【発明を実施するための形態】
【００１６】
次に、本発明を実施するための最良の形態を図面に基づいて説明する。
【００１７】
図１に示すように、本発明の多本線巻線方法は、巻芯１１の軸方向に中心軸の間が所定の間隔Ｌ毎に並んで繰出される複数の線材１２〜１４をその巻芯１１の外周に巻回するとともに、複数の線材１２〜１４が巻芯１１に１回巻付けられる毎に新たに繰出される複数の線材１２〜１４を巻芯１１の軸方向へ所定量Ｔ移動させて、巻芯１１の外周に複数の線材１２〜１４を整列巻きする巻線方法である。
【００１８】
図１における巻芯１１としては、断面が円形であって長さが比較的長いピン又は棒状のものが使用される場合を示す。また、複数の線材１２〜１４は、図示しない線材供給機構から供給された断面が円形のいわゆる丸線であって、図ではその外径が共に等しい３本の線材１２〜１４が巻芯１１の外周に整列巻きされる場合を示す。なお、巻芯１１は、断面が円形のものに限るものではなく、断面が方形のものであっても良い。また、線材１２〜１４にあっても、いわゆる丸線である場合に限るものではなく、線材１２〜１４はその断面が方形を成すいわゆる角線であっても良い。
【００１９】
図示しない線材供給機構から供給された３本の線材１２〜１４は、繰出具２０により、巻芯１１の軸方向にそれらの中心軸の間が所定の間隔Ｌ毎に並んで繰出される。この実施の形態における繰出具２０は、巻芯１１に沿って設けられた台板２１と、その台板２１に巻芯１１の軸方向にそれらの中心軸の間が等間隔Ｎ毎に並んで設けられた３本の案内ピン２２〜２４とを備える。この繰出具２０は、巻芯１１に沿ってその巻芯１１の軸方向に移動可能に構成され、その３本の案内ピン２２〜２４に３本の線材１２〜１４が沿って繰出された後に、その３本の線材１２〜１４は巻芯１１に案内されるように構成される。そして、３本の案内ピン２２〜２４の間隔Ｎは所定の間隔Ｌと同一に形成され、これにより、この繰出具２０により繰出される３本の線材１２〜１４は、巻芯１１の軸方向に所定の間隔Ｌ毎に並んで繰出されることになる。
【００２０】
本発明の多本線巻線方法における特徴は、巻芯１１に巻かれて隣接する線材１２〜１４の巻芯１１の軸方向における中心と中心の間を所望のピッチＰとするとき、その所望のピッチＰを所定量Ｔと所定の間隔Ｌにより調整するところにある。具体的には、複数の線材１２〜１４の本数にその所望のピッチＰを乗じた量を所定量Ｔとし、その所定量Ｔの自然数倍の値に所望のピッチＰを加えた間隔を所定の間隔Ｌとする。即ち、複数の線材１２〜１４が巻芯１１に１回巻付けられる間にその巻芯１１の軸方向へ複数の線材１２〜１４を移動させる量である所定量Ｔ、及び繰出具２０から繰出される複数の線材１２〜１４の巻芯１１の軸方向の所定の間隔Ｌは、その線材１２〜１４が巻芯１１に巻かれた後に隣接する線材１２〜１４間の所望のピッチＰにより決定され、この所定量Ｔと所定の間隔Ｌにより所望のピッチＰを等間隔に変化させることができる点にある。
【００２１】
図１では、線材１２〜１４が整列巻きされた後における隣接する線材１２〜１４間の所望のピッチＰを線材１２〜１４の外径として、巻芯１１に巻かれて隣接する線材１２〜１４間に隙間を生じさせない場合を示す。いわゆる巻芯１１への巻線にあっては、複数の線材１２〜１４を繰出具２０から繰出しつつ巻芯１１の外周に巻付けると共に、その複数の線材１２〜１４が巻芯１１に１回巻付けられる間にその繰出具２０を巻芯１１の軸方向へ所定量Ｔ移動させることにより行われる。
【００２２】
そして、本発明におけるその所定量Ｔは、複数の線材１２〜１４の本数にその所望のピッチＰを乗じた量とされる。このため、この実施の形態のように、３本の線材１２〜１４を用いて、それらの間に隙間を生じさせないような場合の所定量Ｔは、所望のピッチＰである線材外径の３倍となる。
【００２３】
一方、繰出具２０から繰出される複数の線材１２〜１４の巻芯１１の軸方向の所定の間隔Ｌは、その所定量Ｔの自然数倍の値に所望のピッチＰを加えた間隔とする。図１では、この所定の間隔Ｌを求める自然数が１である場合を示す。即ち、図１における所定の間隔Ｌは、所定量Ｔに所望のピッチＰを加えた間隔（Ｔ＋Ｐ）となる。
【００２４】
このように、所定量Ｔと所定の間隔Ｌを決定し、その巻芯１１に複数の線材１２〜１４を巻回しつつ繰出具２０を図の矢印Ａ方向に移動させると、先ず巻芯１１の最初の１回転により繰出具２０から繰出されてその繰出具２０の進行方向先頭の第一線材１２はその巻芯１１に１回巻取られる間に巻芯軸方向に所定量Ｔだけずれる。
【００２５】
一方、その先頭の第一線材１２と、その次に位置する第二線材１３との間隔は、その所定量Ｔに所望のピッチＰを加えた間隔Ｌであるので、図に示すように第一線材１２が１回巻取られた段階でその第一線材１２の既に巻付けられた位置から所望のピッチＰ遅れて隣接する位置に第二線材１３が案内される。このため、巻芯１１が回転することにより、その第二線材１３はその既に巻付けられた第一線材１２に所望のピッチＰずれて隣接し、その状態で巻芯１１に順次等間隔で巻付けられることになる。
【００２６】
同様に、その第二線材１３と繰出具２０の進行方向最後尾に位置する第三線材１４との間隔は、その所定量Ｔに所望のピッチＰを加えた間隔Ｌであるので、第一線材１２が二回巻取られかつ第二線材１３が１回巻取られた段階で、繰出具２０よりその第二線材１３の既に巻付けられた位置から所望のピッチＰ遅れて隣接する位置に第三線材１４は案内される。そして、巻芯１１が回転することによりその既に巻付けられた第二線材１３に所望のピッチＰずれて隣接し、その隣接状態で第三線材１４は巻芯１１に巻付けられる。ここで、線材１２〜１４が巻芯１１に１回巻付けられる間に繰出具２０が移動する量である所定量Ｔは線材１２〜１４の本数に所望のピッチＰを乗じた量であるので、第二線材１３に隣接して第三線材１４が巻芯１１に巻付けられた状態で、巻芯１１に巻付けられて隣接する３本の線材１２〜１４はその所定量Ｔの間に収められる。このため、その所望のピッチＰが線材１２〜１４の外径であれば、巻芯１１に巻かれた状態で隣接する線材１２〜１４間には隙間は生じないことになり、複数の線材１２〜１４が密着して等間隔で整列巻されたコイルを得ることになる。
【００２７】
このような巻線方法であれば、複数の線材１２〜１４が所定の間隔Ｌを空けているにもかかわらず、その複数の線材１２〜１４を巻芯１１に所望のピッチＰで整列巻することができる。よって、複数の線材１２〜１４間に所定の間隔Ｌを空けさせる繰出具２０における案内ピン２２〜２４の直径を線材１２〜１４の外径程度に留めることにより、その案内ピン２２〜２４が重複するようなことを回避しつつ、繰出具２０における繰出し端部を巻芯１１に近づけることが可能になる。そして、繰出具２０における繰出し端部を巻芯１１に近づけると、その繰出具２０から繰出された複数の線材１２〜１４が巻芯１１に達するまでの間に幅方向にずれるようなことは防止され、繰出具２０から所定の間隔Ｌを空けて並んで繰出された複数の線材１２〜１４は、その所定の間隔Ｌが変化することなく、その並んだ状態で直ちに巻芯１１に巻回することができる。よって、その所望のピッチＰが線材１２〜１４の外径であれば、複数の線材１２〜１４が密着して整列巻されたコイルを確実に得ることができる。
【００２８】
また、図１に示すように、巻芯１１の軸方向にそれらの中心軸の間が所定の間隔Ｌと等しい間隔Ｎ毎に並んで設けられた３本の案内ピン２２〜２４を備えた繰出具２０にあっては、図２及び図３に示すように、その案内ピン２２〜２４とともに台板２１を破線矢印で示すように傾動させると、それら複数の案内ピン２２〜２４により導かれる複数の線材１２〜１４間における巻芯１１の軸方向における所定の間隔Ｌを僅かに変動させることができる。
【００２９】
即ち、巻芯１１へ複数の線材１２〜１４を巻回しつつ新たに繰出される複数の線材１２〜１４を巻芯１１の軸方向へ移動させると、新たに繰出される複数の線材１２〜１４はその巻芯１１に対して所定の角度θ傾斜する。このため、図２に示すように、その案内ピン２２〜２４とともに台板２１を線材１２〜１４の傾きと同方向に傾動させると、複数の線材１２〜１４間における巻芯１１の軸方向における所定の間隔Ｌは徐々に拡大する。そして、複数の線材１２〜１４の傾斜と同様に、繰出具２０が所定の角度θ傾斜した段階で、その所定の間隔Ｌは、案内ピン２２〜２４の間隔Ｎを（ｃｏｓθ）で除した値となり、最大値を示すことになる。一方、図３に示すように、その案内ピン２２〜２４とともに台板２１を線材１２〜１４の傾きと逆方向に傾動させると、複数の線材１２〜１４間における巻芯１１の軸方向における所定の間隔Ｌは、繰出具２０の傾動角度に応じて徐々に減少することになる。
【００３０】
このため、台板２１に複数の案内ピン２２〜２４が等間隔Ｎに並んで設けられた繰出具２０を介して複数の線材１２〜１４が繰出される場合には、図２及び図３に示すように繰出具２０を傾動させることにより、繰出具２０における線材１２〜１４の繰出し端部を巻芯１１からさほど遠ざけることなく、所定の間隔Ｌを僅かに変更調整することが可能になる。よって、巻線の前又はその途中で、必要に応じて所定の間隔Ｌを僅かに変更調整することも考えられ、より正確に複数の線材１２〜１４を所望のピッチＰで巻芯１１に整列巻することも可能になる。
【００３１】
図４に、本発明の別の実施の形態を示す。この図４では、３本の線材１２〜１４を繰出す繰出具３０が、それらの線材１２〜１４を別々に繰出す３本のノズル３１〜３３から成る場合であって、所定の間隔Ｌを求める自然数が２である場合を示す。所定の間隔Ｌは所定量Ｔの自然数倍の値に所望のピッチＰを加えた間隔であり、この所定の間隔Ｌを求める自然数を２とするので、所定の間隔Ｌは、所定量Ｔの２倍の値に所望のピッチＰを加えた間隔（２Ｔ＋Ｐ）となる。
【００３２】
この条件で、複数の線材１２〜１４の巻線を開始すると、複数の線材１２〜１４が巻芯１１に１回巻付けられる毎に繰出具３０である３本のノズル３１〜３３を互いの間隔Ｌを変化させることなく図の矢印Ａ方向に移動させ、それらのノズル３１〜３３から新たに繰出される複数の線材１２〜１４を巻芯１１の軸方向へ所定量Ｔ移動させる。すると、先ず巻芯１１の最初の１回転により第一ノズル３１から繰出されてその繰出具３０の進行方向先頭の第一線材１２はその巻芯１１に１回巻取られる間に巻芯軸方向に所定量Ｔだけずれる。一方、その先頭の第一線材１２と、その次に位置する第二線材１３との間隔は、その所定量Ｔの２倍の値に所望のピッチＰを加えた間隔Ｌであるので、図に示すように第一線材１２が二回巻取られた段階で、その第一線材１２の二回巻取られた部分からピッチＰだけ遅れて離れて隣接する位置に、第二ノズル３２により第二線材１３は案内される。そして、その位置に案内された第二線材１３は、巻芯１１が回転することによりその既に巻付けられた第一線材１２に所望のピッチＰ離れるように隣接してその巻芯１１に等間隔で巻付けられることになる。
【００３３】
また、その第二線材１３と繰出具３０の進行方向最後尾に位置する第三線材１４との間隔は、その所定量Ｔの２倍の値に所望のピッチＰを加えた間隔Ｌであるので、第一線材１２が四回巻取られかつ第二線材１３が二回巻取られた段階で、その第二線材１３が二回巻取られた部分に所望のピッチＰ遅れて離れて隣接する位置にその第三線材１４は第三ノズル３３により案内される。そして、巻芯１１が回転することによりその既に巻付けられた第二線材１３に所望のピッチＰ離れて隣接してその第三線材１４は巻芯１１に巻付けられる。ここで、線材１２〜１４が巻芯１１に１回巻付けられる間に繰出具３０が移動する量である所定量Ｔは線材１２〜１４の本数に所望のピッチＰを乗じた量であるので、第二線材１３に隣接して第三線材１４が巻芯１１に巻付けられた状態で、巻芯１１に巻付けられた３本の線材１２〜１４はその所定量Ｔの間に収められる。このため、その所望のピッチＰが線材１２〜１４の外径であれば、この巻線された部分の隣接する線材１２〜１４間には隙間は生じないことになり、複数の線材１２〜１４が密着して整列巻されたコイルを得ることができる。
【００３４】
このように所定の間隔Ｌを求める自然数を２として、複数の線材１２〜１４を繰出具３０において所定の間隔Ｌを空けるようにしても、その繰出具３０から繰出された複数の線材を巻芯１１に所望のピッチＰで整列巻することができる。そして、繰出具３０における複数の線材１２〜１４間に所定の間隔Ｌを空けさせることができるので、繰出具３０が、例え、複数のノズル３１〜３３から成るようなものであっても、その複数のノズル３１〜３３を互いに重複させることなく、これらのノズル３１〜３３から成る繰出具３０における繰出し端部を巻芯１１に近づけることが可能になる。
【００３５】
ここで、線材１２〜１４の本数が、図に示すような３本でなく、例えば、４本や５本或いは６本以上のように増加し、その数に比例して線材繰出具３０であるノズル３１〜３３の数が増加しても、それら複数の線材１２〜１４の巻芯１１の軸方向に中心軸の間が所定の間隔Ｌであるならば、それらの増加したノズルの全てを互いに干渉させることなく、その複数の線材１２〜１４を確実に整列巻きすることができる。そして、繰出具３０における繰出し端部を巻芯１１に近づけることにより、その繰出具３０から繰出された複数の線材１２〜１４が巻芯１１に達するまでの間に別々にずれるようなことは防止され、繰出具３０から所定の間隔Ｌを空けて並んで繰出された複数の線材１２〜１４を、その所定の間隔Ｌを変化させることなく、その並んだ状態で直ちに巻芯１１に巻付けることができる。
【００３６】
特に、巻線時に複数本のノズルから成る繰出具３０の線材繰出し端を巻芯１１に近づけてその巻芯１１に接触させるようにすれば、その繰出具３０から並んで繰出された複数の線材１２〜１４を、その並んだ状態で直ちに巻芯１１に巻線することができる。また、巻芯１１が細くて比較的長いようなものであって、その巻芯１１がその長さ故に湾曲等するようなものであっても、繰出具３０の線材繰出し端を巻芯１１に接触させれば、その接触する繰出具３０により巻芯１１が線材１２〜１４に引っ張られて繰出具３０側に湾曲するような事態を回避することもできる。このため、本発明によれば、巻芯１１が細くて比較的長いようなものであって、その巻芯１１がその長さ故に湾曲等するようなものであっても、そのような巻芯１１に複数の線材１２〜１４を所望のピッチＰで高精度に整列巻きすることが可能になる。
【００３７】
なお、上述した実施の形態では、複数の線材１２〜１４の巻芯１１の軸方向の所定の間隔Ｌを求める自然数が１である場合を図１に示し、その所定の間隔Ｌを求める自然数が２である場合を図４に示したけれども、この所定の間隔Ｌを求める自然数はこれらの１又は２である場合に限るものではなく、この所定の間隔Ｌを求める自然数は３又は４又は５以上であっても良い。このように所定の間隔Ｌを求める自然数を増加させると、複数の線材１２〜１４の間隔を示す所定の間隔Ｌを益々増加させることができ、複数の線材１２〜１４を巻芯１１に案内する繰出具の設計の自由度を向上させることができる。
【００３８】
また、上述した実施の形態では、巻芯１１に複数の線材１２〜１４を巻回しつつ繰出具２０，３０を矢印Ａ方向に移動させることにより、複数の線材１２〜１４が巻芯１１に１回巻付けられる毎に新たに繰出される複数の線材１２〜１４を巻芯１１の軸方向へ所定量Ｔ移動させる場合を説明したが、繰出具２０，３０を移動させることなく、巻芯１１に複数の線材１２〜１４を巻回しつつその巻芯１１自体を巻芯１１の軸方向に移動させることにより、複数の線材１２〜１４が巻芯１１に１回巻付けられる毎に新たに繰出される複数の線材１２〜１４を巻芯１１の軸方向へ所定量Ｔ移動させても良い。
【００３９】
また、上述した実施の形態では、３本の線材を整列巻きする場合を例示したが、線材の本数はこれに限るものではなく、図示しないが、２本の線材を整列巻きする場合であっても良く、４本、５本、６本、７本、８本、９本又は１０本以上の線材を整列巻きする場合であっても良い。
【００４０】
また、上述した実施の形態では、台板２１に３本の案内ピン２２〜２４が設けられた繰出具２０を図１に示し、３本のノズル３１〜３３から成る繰出具３０を図４に示したけれども、複数の線材をその中心軸の間が巻芯の軸方向に所定の間隔Ｌ毎に並んで繰出し得る限り、繰出具はこれらの構造に限るものではなく、他の構造物であってもよい。例えば、台板に線材を案内するプーリが設けられたようなものであっても良い。
【００４１】
更に、上述した実施の形態では、外径が共に等しい３本の線材１２〜１４を用い、所望のピッチＰをその線材１２〜１４の外径として、整列巻線が成された後における全ての線材１２〜１４が、その巻芯１１の軸方向に隙間を空けることなく巻回される場合を説明したが、異なる外径の線材を用いても良く、所望のピッチＰは、線材１２〜１４の外径を超える値であっても良い。所望のピッチＰを線材１２〜１４の外径を超える値とすると、所望のピッチＰと線材１２〜１４の外径との差に相応する所望の隙間を整列巻後に隣接する線材１２〜１４と線材１２〜１４の間に生じさせることができる。
【符号の説明】
【００４２】
１１  巻芯
１２〜１４  線材
Ｔ  所定量
Ｐ  所望のピッチ
Ｌ  所定の間隔
【図１】
0005858568.tif 000002
【図２】
0005858568.tif 000003
【図３】
0005858568.tif 000004
【図４】
0005858568.tif 000005
【図５】
0005858568.tif 000006